(57)【要約】  多次元液体分析システムは、第１次元液体分析システムからの移動相流出流を第１及び第２液体分割出口流に分離するためのフロースプリッタを含む。分割出口流の容積流量制御を、フロースプリッタからの分割出口流の一方を制御された引き込み流量で引き込む流量制御ポンプによって行なう。引き込み流量は、第１次元システムからの流出流量と該引き込み流量との差として他方の分割出口流量を規定する。このようにして、多次元液体分析に特に有用な正確かつ一貫した流れの分割が実現できる。
2014514541.tif 000002
【特許請求の範囲】
【請求項１】
液体の移動相をクロマトグラフ的に分離して、第１流出流量を有する第１次元流出流とするための第１分離カラムを含む第１分離システムと、
前記第１次元流出流を第１分割出口流と第２分割出口流とに分離するためのフロースプリッタと、
前記第２分割出口流をクロマトグラフ的に分離するための第２分離カラムを含む第２分離システムと、
制御された引き込み流量で前記フロースプリッタから前記第２分割出口流を引き込むための流量制御ポンプであって、前記引き込み流量によって、第１分割出口流量が前記第１流出流量と前記引き込み流量との差として定義される、流量制御ポンプと
を備える多次元液体分析システムであって、
前記引き込み流量が、
【数１】
2014514541.tif 000004
である）によって制御される、多次元液体分析システム。
【請求項２】
前記流量制御ポンプが、負変位モードで動作中に前記第２分割出口流を発生させるように配置された容積式ポンプである、請求項１に記載の多次元液体分析システム。
【請求項３】
前記流量制御ポンプがシリンジポンプである、請求項２に記載の多次元液体分析システム。
【請求項４】
前記第２分割出口流を前記第２分離カラムに注入するための多ポート・インジェクションバルブを含み、前記インジェクションバルブが、Ｖｄ以上の容積を有する第１試料ループを含み、前記第１試料ループによって、前記第２分離カラムへの前記第２分割出口流の第１流路が画成される、請求項１に記載の多次元液体分析システム。
【請求項５】
前記インジェクションバルブが、Ｖｄ以上の容積を有する第２試料ループを含み、前記第２試料ループによって、前記第１流路とは別の、前記第２分離カラムへの前記第２分割出口流の第２流路が画成される、請求項４に記載の多次元液体分析システム。
【請求項６】
前記フロースプリッタがＴ字型分岐を備える、請求項１に記載の多次元液体分析システム。
【請求項７】
前記第１分割流出流を規制して、１〜１０００キロパスカルの流体圧力を前記フロースプリッタにおいて作り出すフローリストリクタを含む、請求項１に記載の多次元液体分析システム。
【請求項８】
前記フロースプリッタの下流で前記第１分割出口流に流体接続された液体分析装置を含む、請求項１に記載の多次元液体分析システム。
【請求項９】
液体試料を分析する方法であって、
（ａ）前記液体試料を、該液体試料の１つ以上の化学成分を同定するための第１液体分析装置であって、第１流出流量で第１次元液体流出流を作り出す第１液体分析装置に送達し、
（ｂ）前記第１次元液体流出流を、前記第１流出流量よりも低い引き出し流量でフロースプリッタに圧送して、前記第１次元液体流出流を第１及び第２分割出口流に分離し、
（ｃ）前記第１及び第２分割出口流の一方を、その１つ以上の化学成分を同定するための第２液体分析装置に送達する
ことを含む方法。
【請求項１０】
前記引き込み流量を
【数２】
2014514541.tif 000005
である）によって制御する、請求項９に記載の方法。
【請求項１１】
前記第１液体分析装置がクロマトグラフィ分離カラムを含む、請求項９に記載の方法。
【請求項１２】
前記第２液体分析装置がクロマトグラフィ分離カラムを含む、請求項１１に記載の方法。
【発明の詳細な説明】
【技術分野】
【０００１】
本発明は、分析化学に使用する流動システムに関し、特に、多次元液体クロマトグラフィ装置において移動相流を分割するための分割システムに関する。
【背景技術】
【０００２】
高圧液体クロマトグラフィ（ＨＰＬＣ）等の分離技術は、分析化学において一般的に使用されている。しかしながら、ＨＰＬＣは、単一のクロマトグラフィ分離カラムを用いて実現できる分離度によって限定される。２つ以上の液体クロマトグラフを組み合わせてハイブリッド機器とすることで、単一の分離カラムで実現できるよりも多くの化合物の分解度の向上を実現する試みがなされてきた。近年、試料の複雑化が進行し、単一のＨＰＬＣカラムを使用して実現できるものよりも高い分解度力の必要性が高まっている。
【０００３】
一部の分析機器は、ＨＰＬＣと、試料をさらに同定するための質量分析とを組み合わせている。しかしながら、典型的な質量分析器では、ＨＰＬＣ分離カラムを通過する典型的な流量よりも極めて低い流量を分析する。従って、分析者は、ＨＰＬＣ分離からの流出流量が質量分析器の液体流容量と一致するようにＨＰＬＣの移動相の流量を最適値未満の値まで減じることによって、そのような複合機器を操作しようと試みてきた。ＨＰＬＣカラム内でこのように流量を減じると、利用可能なクロマトグラフ分離度を低下させる傾向がある。ＨＰＬＣ分離度の低下を回避するために、フロースプリッタをフルフロー領域（ｆｕｌｌ−ｆｌｏｗ  ｒｅｇｉｍｅ）に適用して、ＨＰＬＣカラム又は検出器の出口からの流れを、質量分析器の入口に流れる部分と、他の検出器に流れるか廃棄される残りの部分とに分割している。市販の典型的なフロースプリッタは、抵抗管エレメントを利用して液体流を２本以上の個別の流れに分割する。フロースプリッタの例は、特許文献１及び特許文献２に記載されている。液体流の抵抗による分割は、均一なレベルに維持することが難しい。移動相の可変の粘度や、温度、分析中の流路におけるあらゆるばらつきといった要因によって、流路間の分割率が変化しうる。このような変動性が、多次元液体クロマトグラフィを実施する際に特に問題となる。
【０００４】
移動相の分割が望ましいクロマトグラフィ用途の一例が、２次元液体クロマトグラフィ（ＬＣ×ＬＣともいう）である。２次元液体クロマトグラフィでは、第１次元ＨＰＬＣカラムからの流出流は、第２次元ＨＰＬＣカラムに導入され、第１次元分割のいかなる部分も、その後の「第２次元」分割のために第２次元カラムには導入されない。ＨＰＬＣ分析の当業者であれば、試料をクロマトグラフィカラムに注入するための様々な方法が知られていることは理解するであろう。多くの場合、試料の容積は、マルチポート・バルブにおいて設定され、その後、ポンプにより発生する流体力によってクロマトグラフィカラムに注入される。試料は、流動する移動相流へと導入してもよい。
【０００５】
理論的には、第１次元分離物の容量全体を第２次元分離カラムに注入するのが望ましいが、このような手法は、第１分離カラムからの流出流の流量が第２分割カラムに直接注入するには大きすぎるため、実現が難しい。従って、伝統的に「第１次元」分離物の分析は、画分収集によって第１分離カラムからの流出流の総容積を収集し、そして各画分の代表試料を第２次元分離カラムに再注入することによって行なわれてきた。
【０００６】
流量の不一致に加えて、第１次元において展開するクロマトグラムでは、含まれる有機溶媒の相対濃度が増加することがある。有機溶媒の相対濃度の増加は、水系移動相の後に有機溶媒を分離カラムに注入する特定の液体クロマトグラフィ手法の結果である場合がある。第１次元分離において有機溶媒の相対濃度が増加すると、第１次元から第２次元クロマトグラフへの固定容積の注入によって、第２次元分離中の有機溶媒の相対濃度がさらに増加する。ある条件下では、第２次元クロマトグラフへ大量の有機溶媒を注入することは、第２次元分離に悪影響を及ぼす。第１次元分離において有機溶媒の経時的なばらつきが発生するため、第１分離カラムの下流に配置された標準的な抵抗型フロースプリッタから流出する流量が予想できなくなる。従って、分析者は、第２次元分離カラムへ注入可能な試料の実際の流量を知ることは難しいと考えている。試料の流量を把握することは、第２次元分離カラムにおける有機溶媒濃度を制御し、また、第１次元クロマトグラフの一部が第２次元分離においてサンプリングされないようなことが確実に起こらないようにするために重要である。典型的な抵抗型フロースプリッタでは、第２次元での分析を一貫して制御するのに必要な情報を分析者に提供することができない。標準的な抵抗型フロースプリッタ―の制約が理由で、ＬＣ×ＬＣは当該技術分野において広くは使用されていない。
【先行技術文献】
【特許文献】
【０００７】
【特許文献１】米国特許第６，２８９，９１４号明細書
【特許文献２】欧州特許出願公開第４９５２５５号明細書
【発明の概要】
【課題を解決するための手段】
【０００８】
フロー分割システムは、第１ＨＰＬＣシステム分離カラムから流出する流体を受容するための入口と、制御された流出流を間接的に流れさせる第１出口であって、流れ規制装置に流体接続された第１出口と、制御された流出流を直接的に流れさせる第２出口とを有するＴ字型分岐を含む。第２出口は、負変位モード（ｎｅｇａｔｉｖｅ  ｄｉｓｐｌａｃｅｍｅｎｔ  ｍｏｄｅ）又は正変位モード（ｐｏｓｉｔｉｖｅ  ｄｉｓｐｌａｃｅｍｅｎｔ  ｍｏｄｅ）で動作可能な容積式ポンプに流体接続されている。流れ規制装置は、１キロパスカルから１０，０００キロパスカルの圧力を分岐に作り出し、調整可能な調圧器である。システムはさらに、容積式ポンプ及びバルブシステムを含み、ここで３ポート・シア（せん断）型バルブを使用してポンプピストン及びバレルを分岐又は廃棄に接続している。
【０００９】
幾つかの実施例において、容積式ポンプは、負変位モードにおいて一定の流量で駆動することが可能であり、分岐の第１出口に接続された流れ規制装置による圧力に耐えることが可能である。
【００１０】
幾つかの実施例において、容積式ポンプは、負変位モードにおいて可変の流量で駆動することが可能である。
【００１１】
幾つかの実施例において、容積式ポンプは、第１次元ＨＰＬＣシステムから分岐への溶媒の流入流量よりも低い負容積変位流量で駆動される。
【００１２】
幾つかの実施例において、第２次元ＨＰＬＣシステム用の６ポート・試料インジェクションバルブが、容積式ポンプと分岐の第２出口との間に配置されている。
【００１３】
幾つかの実施例において、第２次元ＨＰＬＣシステム用のデュアルループインジェクタとして構成された１０ポート・バルブが、容積式ポンプと分岐の第２出口との間に配置されている。
【００１４】
幾つかの実施例において、分岐の第１出口は、質量分析器の入口に接続されている。
【００１５】
幾つかの実施例において、容積式ポンプが試料を第２次元インジェクションバルブへと引き込む引き込み時間は、第２次元分離の分析時間と等しい、又は、若干短いか若干長い。
【００１６】
幾つかの実施例において、第２次元６ポート・インジェクションバルブにおける注入ループ容積が、前回注入された試料の分析時間の間、第１次元ＨＰＬＣシステムから流出する全ての成分の代表サンプリングが第２次元インジェクションバルブの試料ループに完全に流入するような流量で、部分的に又は完全に充填される。
【００１７】
幾つかの実施例において、第２次元インジェクションバルブの内部に含まれる試料の注入が、第１次元ＨＰＬＣ分離カラムで行われる試料の分離における任意の分析ピークの一時間的標準偏差内で行なわれる。
【００１８】
幾つかの実施例において、第２次元インジェクションバルブが注入位置に留まる時間が、第２次元ＨＰＬＣシステム分離カラムでの総分析時間の１０パーセント未満である。
【００１９】
液体クロマトグラフィ用の流れ分割システムは、第１ＨＰＬＣシステムフロースルー検出器から流出する流体を受容するための入口と、制御された流出流を間接的に流れさせる第１出口であって、流れ規制装置に流体接続された第１出口と、制御された流出流を直接的に流れさせる第２出口とを有するＴ字型分岐を含む。第２出口は、負変位モード又は正変位モードで動作可能な容積式ポンプに流体接続されている。流れ規制装置は、１キロパスカルから１０，０００キロパスカルの圧力、又は、上記検出器が耐えられる最大背圧を分岐に作り出し、流れ規制装置は調整可能な調圧器である。システムはさらに、容積式ポンプ及びバルブシステムを含み、ここで３ポート・シア（せん断）型バルブを使用してポンプピストン及びバレルを分岐又は廃棄に接続している。
【００２０】
幾つかの実施例において、容積式ポンプは、負変位モードにおいて一定の流量で駆動することが可能であり、分岐の第１出口に接続された流れ規制装置による圧力に耐えることが可能である。
【００２１】
幾つかの実施例において、容積式ポンプは、第１次元ＨＰＬＣシステムから分岐への溶媒の流入流量よりも低い負容積変位流量で駆動される。
【００２２】
幾つかの実施例において、第２次元ＨＰＬＣシステム用の６ポート・試料インジェクションバルブが、容積式ポンプと分岐の第２出口との間に流体接続されている。
【００２３】
幾つかの実施例において、第２次元ＨＰＬＣシステム用のデュアルループインジェクタとして構成された１０ポート・インジェクションバルブが、容積式ポンプと分岐の第２出口との間に流体接続されている。
【００２４】
幾つかの実施例において、分岐の第１出口は、質量分析器の入口に接続されている。
【図面の簡単な説明】
【００２５】
【図１】本発明のシステムの概略図を示す。
【図２】本発明のシステムの概略図を示す。
【図３】本発明のシステムの概略図を示す。
【図４】本発明のシステムの概略図を示す。
【図５】本発明のシステムの概略図を示す。
【図６】本発明のシステムの概略図を示す。
【発明を実施するための形態】
【００２６】
第１次元分離での分離度を維持するように第１次元分析カラムからの流出流の流れの一貫した分割を実現するために、シリンジポンプ等の容積式ポンプを負変位モードにおいて適用して、フロースプリッタの一方の出口から特定の流量で流体を吸入してもよい。これによれば、フロースプリッタの第２の出口からの流れも制御される。このような制御により、スプリットの両方の出口の流量が分かる。
【００２７】
図１に、本発明の配置構成の第１の概略図を示す。分析システム１０は、第１次元分離システム１２と、第２次元分離システム１４とを備え、移動相が、第１次元ポンプ１８によって、第１次元分離カラム１６内を移送される。カラム１６からの第１次元流出流２０は、第１次元クロマトグラフィ検出器２２に送達してもよいし、まずフロースプリッタで分割してもよい。フロースプリッタ２４への流量は、第１次元カラム１６内を流れる移動相の流量を規定する第１次元ポンプ１８によって制御される。フロースプリッタ２４は、「Ｍｉｃｒｏ−Ｓｐｌｉｔｔｅｒ  Ｖａｌｖｅ  １０−３２／６−３２  Ｐｏｒｔ  ５５  Ｎｅｅｄｌｅ  （ＥＡ）」という名称でＫｉｎｅｓｉｓ−ＵＳＡが販売しているもののように、第１入口並びに第１及び第２出口を有するＴ字型分岐継手を備える。図１に示す配置構成において、フロースプリッタ２４からの第１出口２６は、廃棄流を含んでおり、フロースプリッタ２４からの第２出口２８は、流量制御ポンプ３０に少なくとも間欠的に流体接続されている。しかしながら、他の実施例において、第１出口２６は、質量分析器等の二次分析システムへ送達するための既知の流量の流れを含むようにしてもよい。システム１０は、ポンプ３０が第２出口２８内の流体の流れを制御している間、ポンプ３０の過加圧状態を回避できるよう流量を第１出口２６において十分に規制できさえすればいいように配置されている。このようにして、負変位モードにおいてポンプ３０の充填率を制御することにより、フロースプリッタ２４の第１及び第２出口２６，２８の両方を制御する。その結果、フロースプリッタ２４と第１出口２６に流体接続された任意の検出手段（質量検出器等）との間に排出されない追加容積が介在しない。
【００２８】
分析システム１０は、第１及び第２次元カラム１６，３４に圧送された液体試料の化学分析を行なう。本発明の目的のために、第１及び第２次元「カラム」は、カラムを必ずしも利用しない分析モダリティ（手法）を含むように、より広く解釈できる。例えば、該次元の１つ以上に、液体クロマトグラフィ、ＨＰＬＣ、分取液体クロマトグラフィ、超臨界流体分析、ゲル浸透クロマトグラフィ、質量分析、他の分光分析又はクロマトグラフィ分析、及びそれらの組み合わせを利用してもよい。特定の用途において、第１及び第２次元はそれぞれ、液体試料を評価するクロマトグラフィカラムである。幾つかの実施例において、このような液体クロマトグラフィは、「高圧液体クロマトグラフィ」又は「高速液体クロマトグラフィ」（ＨＰＬＣ）とすることができる。これは、クロマトグラフィ分離カラムへの注入用ポンプによってインジェクションバルブ又は「オートサンプラ」に送達された化合物溶液に対してクロマトグラフィ分離を行なうための一般的な技術である。化合物を移送するために使用する液体又は液体混合物を、本明細書では「移動相」と称する。液体クロマトグラフィの「固定相」は、典型的に、分離カラム１６，３４内部の充填材である。
【００２９】
上述のように、流量制御ポンプ３０は、典型的に、負変位モード（ｎｅｇａｔｉｖｅ  ｄｉｓｐｌａｃｅｍｅｎｔ  ｍｏｄｅ）において充填され正変位モード（ｐｏｓｉｔｉｖｅ  ｄｉｓｐｌａｃｅｍｅｎｔ  ｍｏｄｅ）において排出される押しのけ容積（ｄｉｓｐｌａｃｅｍｅｎｔ  ｖｏｌｕｍｅ）を有する容積式ポンプである。容積式ポンプの一例が、シリンジポンプである。シリンジポンプでは、シリンダ内部のプランジャが、負変位モードにおいて作動して液体をシリンダ内に引き込む。つまり、プランジャを制御・後退させることでシリンダ内部に負圧を作り出し液体をその内部に引き込む。反対方向にプランジャを移動させると「正変位モード」となり、シリンダ内に正圧が作り出されて、シリンダの内容物がそこから排出される。
【００３０】
流量制御ポンプ３０は、第２出口流２８における任意のバルブの下流に配置して、ポンプ３０が第２出口流２８から流体を引き込む流量を制御することによって流出流２０の分割が既知の流量で正確に制御されるようにすることができる。第２出口流２８が出口流２０での総流量を超えない限りにおいて、時間当たりの流量を第１及び第２出口流２６，２８の両方において正確に知ることができる。
【００３１】
図１に示す実施例において、スプリッタ２４は、第１次元カラム１６の出口と第２次元インジェクションバルブ３２との間に位置付けてもよい。第２次元分離カラム３４へ注入される出口２０からの第２次元移動相の最大容積に応じて、そのような最大容積の固定容積試料ループ３６を、チューブ、管路、又は試料の移動相の容積を一時的に含むことが可能な他の導管の形態で第２次元インジェクションバルブ３２に組み込んでもよい。図２に、試料ループ３６をより明確に示す。ここで、第２次元インジェクションバルブ３２は、当該技術分野において既知の６ポート・インジェクションバルブである。この実施例において、試料ループ３６は、第２次元カラム３４に送達可能な所望の試料容積以上の容積を有する。ポンプ３０のプログラムされた流量は、このような試料容積を第２次元カラム３４に必要な分析時間によって除算した値と略等しいものとすることができる。流れ４２のこのように計算された引き込み流量によって、フロースプリッタ２４を通過する全ての移動相の代表試料を確実に第２次元カラム３４に送達させることができる。第１次元流出流２０からの適切な引き込み流量を設定して、それにより第２出口流２８において移動相の完全なクロマトグラフィ分析を確実にするのに十分な第２次元の試料の送達流量を保持するためのポンプ３０の制御方式の関係式の一例を以下に記載する。
【数１】
2014514541.tif 000003
である）。
【００３２】
第２次元の「平衡化時間」とは、逆相溶媒の第２次元カラムを「洗い流す」のに必要な時間のことである。例えば、あるＨＰＬＣ分析は、まずカラムに水系相を通過させ、その後、有機相を流し、試料を水系／有機相の一方又は両方に適宜注入する。試料は、交互に連続する水系／有機相を介して、クロマトグラフィカラム内で溶出する。クロマトグラフィカラムでの試料の溶出が終了したら、その後の試料分析において最初の移動相とは逆の水系／有機相の残りをカラムから「除去」することが望ましい。従って、まず水系相で、その後有機相で試料を試験する例において、そのような有機相は、好ましくは、その後の試料シークエンスを開始する前に、カラムを、ブランクの（純粋な）水系相（水等）で「洗い流す」。この「洗い流す」時間が、上記の関係式で利用する「平衡化時間」である。
【００３３】
図３に代替の実施例を示す。この実施例では、第１次元検出器２２が、第１出口流２６と流体連通して、フロースプリッタ２４の下流に位置付けられている。ポンプ３０がスプリッタ２４での流れの分割を操作可能に制御するのに十分な流量規制を提供するために、フローリストリクタ５０を、検出器２２の下流又はスプリッタ２４と第１次元検出器２２との間に適用してもよい。フローリストリクタ５０を第１次元検出器２２の上流に位置付けることによって、検出器２２にかかる背圧を除去して、サンプリング精度を向上させることもできる。しかしいずれの場合も、フローリストリクタ５０を含めるのは任意であり、本発明の動作には必要ではない。
【００３４】
図４及び５に、本発明のさらなる実施例を示す。この実施例では、第２次元インジェクションバルブ３２が、当該技術分野において既知の１０ポート・バルブである。このような実施例では、２本の個別の流路を設定して、ダブルループインジェクタとして使用してもよい。第１流路では試料を第１試料ループ３６ａに直接流すようにし、第２流路では試料をバルブ３２の第２試料ループ３６ｂに流すようにする。流路の違い及び流れ抵抗の違いは、本明細書に記載のようにポンプ３０によって駆動されるフロースプリッタを使用することで打ち消される。第２試料ループ３６ｂ内部の試料を第２次元カラム３４で分析している間、第１試料ループ３６ａは充填されていてもよい。この場合、ポンプ３０を負変位モードで動作させて、移動相を第１次元出口流２０から順次第１及び第２試料ループ３６ａ，３６ｂのそれぞれに引き込むことができる。第２出口２８での引き込み量は、充填される試料ループ容積が、分析及び第２次元分析の平衡化にかかる時間全体（Ｔ２ａ＋Ｔ２ｅ）で消費するのに適した容積となるものである。第１及び第２試料ループ３６ａ，３６ｂは、交互に充填して第２次元カラム３４に注入してもよい。この技術の利点は、各試料ループ３６ａ，３６ｂを分析時間全体に亘って第２次元の移動相で完全に洗浄でき次回に持ち越されうる残りを除去できる点である。
【００３５】
図５に、ポンプ３０の廃棄物排出サイクルを示す。バルブ５４を採用して、（図２〜４に示すような）流れ４２からの移動相の吸入と（図５及び６に示すような）廃棄物流ライン５８からの廃棄物５６の排出とを切り換えることができる。一実施例において、シリンジポンプ３０を正変位モードに操作して、第１次元分離で起こる分析ピークの時間の一標準偏差よりも短い排出時間（Ｔｄ）のうちに、その蓄積した内容物を排出できる。このようにすることで、第２次元クロマトグラフ３４において、特定のクロマトグラフィ分析ピークがサンプリングされずに残ることがない。従って、一実施例において、排出時間Ｔｄは、約１秒未満となる。
【００３６】
ポンプ３０からの排出は、移動相がポンプ３０の押しのけ容積を実質的に満たす間隔のみに行なわれるようにしてもよい。例えば、第１及び第２試料ループ３６ａ，３６ｂそれぞれの容積を２０マイクロリットルとし、シリンジポンプ３０の押しのけ容積を５ｍｌとする。この結果、ポンプ３０の押しのけ容積は、第２次元クロマトグラフ３４への注入が１２５回行なわれると充填される。
【００３７】
図６に、さらなる実施例を示す。この実施例では、システム１１０が、第１次元カラム１１６の下流に配置されたフロースプリッタ１２４を備える。フロースプリッタ１２４からの第１出口流１２６は、質量分析器等の二次分析装置１７０の入口に流体接続されている。フロースプリッタ１２４からの第２出口流１２８は、フロースプリッタ１２４での流量の分割を制御するポンプ１３０に流体接続されている。上述のように、ポンプ１３０は、溶媒を流出流１２０から所望の流量でプログラム可能に取り除いて、第１出口流１２６から二次分析装置１７０への流入流量が第１次元カラム１１６からの流出流量１２０と等しくなり、第２出口流１２８からポンプ１３０へと引き込まれる流量が少なくなるようになっている。
【００３８】
勾配溶離クロマトグラフィの場合のようにポンプ１８を使用して移動相成分を混合する場合、液体クロマトグラフィカラムのヘッドへの流体の流入は常に第１次元ポンプ１８の入口に送達される全流とは限らない。このような影響は、混合された移動相の容積が２つの個々の液体の容積の合計よりも少なくなる混合の容積収縮によって引き起こされる。このような混合の容積収縮を許容するために、ポンプ３０，１３０を、移動相の個々の成分の濃度に応じてプログラムしてもよい。このようなポンプのプログラミングのための関係式の一例を以下に示す。
Ｆｉ＝ｋ×Ｆｏ
（式中、
Ｆｉ＝間接流量（ｉｎｄｉｒｅｃｔ  ｆｌｏｗ  ｒａｔｅ）
ｋ＝容積収縮係数
Ｆｏ＝出口１２０での流量
である）。
【００３９】
ＨＰＬＣポンプはそれぞれの溶媒を一定量で混合点に送達するが、混合点からの総流量を、個々の液体の流量の合計と異ならせてもよい。例えば、温度が一定の時、ＨＰＬＣカラムへの流入流量を、ＨＰＬＣカラムからの流出流量より多くしてもよい。従って、ポンプ３０，１３０を、入口流量と出口流量との差を許容するように調節する。さらに、第１次元ＨＰＬＣカラム１６，１１６が加熱される場合、加圧負変位（ｐｒｅｓｓｕｒｉｚｅｄ，ｎｅｇａｔｉｖｅ  ｄｉｓｐｌａｃｅｍｅｎｔ）フロースプリッタを使用することによって、第２出口流２８，１２８の全ての点で加圧して、移動相の沸騰やガス放出で間欠流が生じないようにすることが可能になる。事実、第１次元カラム１６，１１６が加熱される場合には、負変位フロー分割の利用が、溶媒を沸騰させることなくインジェクタへ試料ループを充填するための唯一の効果的な方法である。
【図１】
2014514541.tif 000006
【図２】
2014514541.tif 000007
【図３】
2014514541.tif 000008
【図４】
2014514541.tif 000009
【図５】
2014514541.tif 000010
【図６】
2014514541.tif 000011
【国際調査報告】
2014514541.tif 000012